(57)【特許請求の範囲】
【請求項１】
転写テープ（１）をリール状に巻いた巻出しコア（２）と転写テープの転写層を圧着転写する圧着ブレード（３）と転写層を転写した後の基材を巻き取る巻取りコア（４）が支持体（５）に着脱自在に装着され、転写テープは巻出しコア、圧着ブレード、巻取りコアの順に通されている転写テープ詰替え器具において、支持体（５）が、巻出しコア（２）と圧着ブレード（３）と巻取りコア（４）を着脱自在に係止する薄板（５ａ）と巻出しコア（２）、圧着ブレード（３）、巻取りコア（４）を保護する薄板（５ｂ）に分離可能に構成されていることを特徴とする転写テープ詰替え器具。
【請求項２】
支持体（５）が、巻出しコア（２）と圧着ブレード（３）と巻取りコア（４）を着脱自在に係止する薄板（５ａ）と巻取りコア（２）、圧着ブレード（３）、巻取りコア（４）を保護する薄板（５ｂ）とが一部分で固定されていることを特徴とする転写テープ詰替え器具。
【発明の詳細な説明】
【０００１】
【発明の属する技術分野】
本発明は、基材の片面に修正剤、蛍光マーカー剤、あるいは粘着剤などを塗布し、適当な幅にスリットした転写テープをケース内に収納し、転写部により塗布剤を転写する転写器に転写テープを詰替えする器具に係わるものである。
【０００２】
【従来の技術】
近年、修正テープや粘着テープを転写する転写器が実願平４ー２０８２７のように開示されており、その多くは使い切りである。又、特開平６ー２８６９２７、実開平６ー３３８６３のようにカセット方式による詰替え可能なものも開示されている。
【０００３】
【発明が解決しようとする課題】
転写テープの詰替えが可能な転写器において、転写テープを詰替える場合、転写テープが巻かれた巻出しコアと巻取りコアのみを取り替えるようなものは、転写テープを所定の経路に沿って装着しなければならず、非常に頻雑で困難であるという欠点があった。又、転写テープ、巻出しコア、巻取りコア及び、転写部を備えた詰替えカセットを着脱するものは、詰替えカセットが転写テープ、その他部品等を収納する為、転写器自体が大きなものとなり、詰替えカセットそのものが高価なものとなる欠点があった。
【０００４】
前述の欠点に鑑み、本発明は、転写テープを使用した後、新たな転写テープの詰替えが容易にでき、かつカセット方式の詰替えのように無駄がなく安価な転写テープ詰替え器具を提供することを目的とするものである。
【０００５】
【課題を解決する為の手段】
本発明に係る転写テープ詰替え器具は、支持体として転写テープ（１）をリール状に巻いた巻出しコア（２）と転写テープ（１）の転写層を圧着、転写する圧着ブレード（３）と転写層を転写した後の基材を巻き取る巻取りコア（４）とが着脱自在に係止された薄板（５ａ）と転写テープ（１）をリール状に巻いた巻出しコア（２）と、圧着ブレード（３）と巻取りコア（４）とを保護する薄板（５ｂ）とから構成される。前記転写テープ（１）は、詰替えられる転写器の所定のテープ経路に沿って装着されている。
【０００６】
前記支持体は、巻出しコア（２）と圧着ブレード（３）と巻取りコア（４）を着脱自在に係止する薄板（５ａ）と巻出しコア（２）と圧着ブレード（３）と巻取りコア（４）を保護する薄板（５ｂ）とが、分離可能に形成される。あるいは、前記薄板（５ａ）と薄板（５ｂ）とが一部分で固定されている。
【０００７】
【発明の実施の形態】
転写器から使用済の転写テープを取り除いた後、新たな転写テープを詰替えようとする際、支持体（５）に装着された転写テープ（１）をリール状に巻いた巻出しコア（２）と圧着ブレード（３）及び、巻取りコア（４）を転写器のそれぞれの所定位置に合わせて嵌め込む。その後転写テープ（１）、巻出しコア（２）、圧着ブレード（３）、巻取りコア（４）を保護する薄板（５ｂ）を押え、巻出しコア（２）と圧着ブレード（３）及び、巻取りコア（４）が係止された薄板（５ａ）を転写器と逆方向に分離すると各々の部品は、薄板（５ｂ）によって押さえられて薄板（５ａ）に設けられた係止部から外れ、転写器の所定の位置に装着される。又、前記薄板（５ａ）と前記薄板（５ｂ）は、手で容易に分離できるよう接続されている。
【０００８】
又、転写テープを詰替えようとする際、転写テープ（１）をリール状に巻いた巻出しコア（２）、圧着ブレート゛（３）及び、巻取りコア（４）が係止された薄板（５ａ）とそれらを保護する薄板（５ｂ）とが一部分で固定されており、前記薄板（５ｂ）を押え、前記薄板（５ａ）を固定部の逆側より転写器と逆方向に取り除こうとすれば、転写テープ（１）、巻出しコア（２）、圧着ブレード（３）、巻取りコア（４）は、薄板（５ｂ）によって押さえられ、前記薄板（５ａ）に設けられた係止部より外れ、転写器の所定の位置に装着される。前記薄板（５ａ）と薄板（５ｂ）の固定部は、手で充分変形する強度に形成されている。
薄板（５ａ）及び、薄板（５ｂ）は、補強の為に立ち壁等を設けても良い。
【０００９】
【実施例】
以下、本発明の転写テープ詰替え器具の実施例を添付の図に基づいて説明する。図１は、本発明の請求項１記載の転写テープ詰替え器具の１実施例の上面図を示す。図２はその側面図。図３は、その斜視図を示す。転写テープ（１）をリール状に巻いた巻出しコア（２）と転写テープの転写層を圧着転写する圧着ブレード（３）と転写層を転写した後の基材を巻き取る巻取りコア（４）は、着脱自在に薄板（５ａ）に設けられたそれぞれの係止部（２１）（３１）（４１）に装着されている。転写テープ（１）は、巻出しコア（２）、圧着ブレード（３）、巻取りコア（４）の順に転写器のテープ経路に沿う様に装着されている。
【００１０】
薄板（５ａ）は、転写テープ（１）、巻出しコア（２）、圧着ブレード（３）巻取りコア（４）を保護する薄板（５ｂ）と手で容易に分離できる様、微小接続部（５１）により部分的に接続されている。又、薄板（５ａ）は、新たな転写テープに詰替える際に分離するのを容易にする為、薄板（５ｂ）の外周より一部が突出されている。薄板（５ａ）と薄板（５ｂ）を接続している微小接続部（５１）は、手で切断できる強度である事が好ましい。
【００１１】
新たな転写テープを詰替える際、支持体としての薄板（５ａ）に着脱自在に係止されている巻出しコア（２）と圧着ブレード（３）と巻取りコア（４）及び転写テープ（１）と共に薄板（５ｂ）を転写器の所定の位置に装着し、薄板（５ａ）を薄板（５ｂ）より転写器と逆方向に分離すると、前記転写テープ（１）と巻出しコア（２）と圧着ブレード（３）及び、巻取りコア（４）は、薄板（５ｂ）に押さえられ、それぞれが転写器に装着される。その後、薄板（５ｂ）を取り除くと転写テープは、きわめて容易に詰替えられる。
【００１２】
図３は、本発明の請求項２記載の転写テープ詰替え器具の１実施例の上面図を示す。図４は、その斜視図を示す。転写テープ（１）をリール状に巻いた巻出しコア（２）と圧着ブレード（３）と巻取りコア（４）は、着脱自在に薄板（５ａ）に設けられたそれぞれの係止部（２１）（３１）（４１）により装着されている。転写テープ（１）は、巻出しコア（２）、圧着ブレード（３）、巻取りコア（４）の順に転写器のテープ経路に沿う様に装着されている。薄板（５ａ）は転写テープ（１）と巻出しコアと圧着ブレード（３）及び巻取りコア（４）を保護する薄板（５ｂ）と固定部（５２）により一部分が接続されている。又、固定部（５２）は、手で充分に変形する強度である事が好ましい。薄板（５ｂ）は、薄板（５ａ）の外周より固定部（５２）の反対側が突出する様に形成されている。
【００１３】
新たな転写テープを詰替える際、支持体としての薄板（５ａ）に着脱自在に係止されている巻出しコア（２）と圧着ブレード（３）と巻取りコア（４）及び転写テープ（１）と共に薄板（５ｂ）を転写器の所定の位置に装着し、薄板（５ａ）を薄板（５ｂ）より転写器と逆方向に持ち上げると、前記転写テープ（１）と巻出しコア（２）と圧着ブレード（３）及び巻取りコア（４）は、薄板（５ｂ）に押さえられ、それぞれが転写器に装着される。その後、薄板（５ａ）と薄板（５ｂ）を取り除くと転写テープは、きわめて容易に詰替えられる。
【００１５】
【発明の効果】
請求項１、２記載の本発明転写テープ詰替え器具によれば、転写テープが巻かれた巻出しコアと、圧着ブレードと巻取りコアが着脱自在に係止されている薄板と各々を保護する薄板が、分離可能なあるいは、一部分が固定されている様に構成されている為、転写器に新たな転写テープをきわめて容易に装着することができると共に、前記部品を装着した一つのカセットとして詰替える従来の方式と比較して、詰替え用の転写テープを安価に供給する事ができる。
【図面の簡単な説明】
【図１】本発明の請求項１記載の転写テープ詰替え器具の実施例の上面図
【図２】本発明の請求項１記載の転写テープ詰替え器具の実施例の側面図
【図３】本発明の請求項１記載の転写テープ詰替え器具の実施例の斜視図
【図４】本発明の請求項２記載の転写テープ詰替え器具の実施例の上面図
【図５】本発明の請求項２記載の転写テープ詰替え器具の実施例の斜視図
【図６】本発明の請求項２記載の転写テープ詰替え器具の実施例であって立ち壁を設けた薄板の斜視図
【符号の説明】
（１）転写テープ
（２）巻出しコア
（３）圧着ブレード
（４）巻取りコア
（５）支持体
（２１）巻出しコアの係止部
（３１）圧着ブレードの係止部
（４１）巻取りコアの係止部
（５ａ）薄板
（５ｂ）薄板
（５１）微小接続部
（５２）固定部
【図１】
0003734196.tif 000002
【図２】
0003734196.tif 000003
【図３】
0003734196.tif 000004
【図４】
0003734196.tif 000005
【図５】
0003734196.tif 000006
【図６】
0003734196.tif 000007